(57)【特許請求の範囲】
【請求項１】
複数の細長開口と前記各細長開口を間に挟んで周縁から前記細長開口の長手方向延在長の途中まで延在する複数のスリットとが形成された複数の第１横板と、複数の細長開口と前記各細長開口を間に挟んで周縁から前記細長開口の長手方向延在長の途中まで延在する複数のスリットとが形成された複数の第２横板と、複数の細長開口と前記各細長開口を間に挟んで周縁から前記細長開口の長手方向延在長の途中まで延在する複数のスリットとが形成された複数の縦板とを備え、第１横板と第２横板とが隙間を隔てて交互に配設されて横板集合体を形成し、横板集合体内において第２横板の隣接する細長開口の間の部位が第１横板の細長開口に対峙すると共に第２横板の細長開口が第１横板の隣接する細長開口の間の部位に対峙し、複数の縦板が隙間を隔てて配設されて縦板集合体を形成し、縦板集合体が自身のスリットを横板集合体のスリットに整列させて横板集合体に差し込まれ、横板集合体と縦板集合体とが協働して格子構造体を形成し、格子構造体内に屈曲した空気通路が形成され、前記格子構造体が横板の細長開口に対峙する開口が形成された箱体に収納されていることを特徴とする塗料ミスト捕集装置。
【請求項２】
第１横板と第２横板との間隔が、横板集合体の一方の端面から他方の端面に向けて減少していることを特徴とする請求項１に記載の塗料ミスト捕集装置。
【請求項３】
箱体内に且つ横板集合体の他方の端面に隣接してフィルターが配設されていることを特徴とする請求項２に記載の塗料ミスト捕集装置。
【請求項４】
縦板集合体は横板の細長開口の一方の端部側から横板集合体に差し込まれる第１部分と、横板の細長開口の他方の端部側から横板集合体に差し込まれる第２部分とで構成されていることを特徴とする請求項１乃至３の何れか１項に記載の塗料ミスト捕集装置。
【請求項５】
横板集合体と縦板集合体とが協働して形成する格子構造体は、折り畳み可能であることを特徴とする請求項１乃至４の何れか１項に記載の塗料ミスト捕集装置。
【請求項６】
第１横板と第２横板と縦板と箱体とは板紙で形成されていることを特徴とする請求項１乃至５の何れか１項に記載の塗料ミスト捕集装置。
【発明の詳細な説明】
【技術分野】
【０００１】
本発明は塗装ブースに配設される塗料ミスト捕集装置に関するものである。
【背景技術】
【０００２】
例えば文献１に開示されているように、塗装ブースから吸引した排気を水と共にベンチュリーに導き、ベンチュリーで霧化した水の微粒子で排気中に含まれる塗料ミストを捕捉する湿式の塗料ミスト捕集装置が従来から広く使用されている。
湿式の塗料ミスト捕集装置に対し、板部材に排気を衝突させて塗料ミストを捕捉する乾式の塗料ミスト捕集装置が近年使用されるようになった。乾式の塗料ミスト捕集装置は、循環水ポンプの駆動電力を必要としない点で、従来の湿式塗料ミスト捕集装置に比べて省エネを実現できるという利点がある。
特許文献２は、多数の開口が形成された板部材を複雑に折り曲げて形成した乾式の塗料ミスト捕集装置を開示している。
【先行技術文献】
【特許文献】
【０００３】
【特許文献１】特許第３１９３５１１号公報
【特許文献２】特許第６４７５２４１号公報
【発明の概要】
【発明が解決しようとする課題】
【０００４】
特許文献２の複雑に折り曲げて形成する乾式の塗料ミスト捕集装置には、折り曲げの手順や方向を間違えると所期の形状が得られないという問題がある。また、対向する板部材の開口が正対しているので、塗装ブース排気と板部材との衝突回数が少なく塗料ミスト捕集効率が悪いという問題もある。
本発明は板部材で構成された乾式の塗料ミスト捕集装置であって、複雑な折り曲げ工程を経ることなく構成された、且つ塗料ミスト捕集効率の高い、塗料ミスト捕集装置を提供することを目的とする。
【課題を解決するための手段】
【０００５】
上記課題を解決するために、本発明においては、複数の細長開口と前記各細長開口を間に挟んで周縁から前記細長開口の長手方向延在長の途中まで延在する複数のスリットとが形成された複数の第１横板と、複数の細長開口と前記各細長開口を間に挟んで周縁から前記細長開口の長手方向延在長の途中まで延在する複数のスリットとが形成された複数の第２横板と、複数の細長開口と前記各細長開口を間に挟んで周縁から前記細長開口の長手方向延在長の途中まで延在する複数のスリットとが形成された複数の縦板とを備え、第１横板と第２横板とが隙間を隔てて交互に配設されて横板集合体を形成し、横板集合体内において第２横板の隣接する細長開口の間の部位が第１横板の細長開口に対峙すると共に第２横板の細長開口が第１横板の隣接する細長開口の間の部位に対峙し、複数の縦板が隙間を隔てて配設されて縦板集合体を形成し、縦板集合体が自身のスリットを横板集合体のスリットに整列させて横板集合体に差し込まれ、横板集合体と縦板集合体とが協働して格子構造体を形成し、格子構造体内に屈曲した空気通路が形成され、前記格子構造体が横板の細長開口に対峙する開口が形成された箱体に収納されていることを特徴とする塗料ミスト捕集装置を提供する。
開口とスリットとが形成された複数の横板で構成された横板集合体に、開口とスリットとが形成された複数の縦板で構成された縦板集合体が、互いのスリットを整列させて差し込まれた塗料ミスト捕集装置は、複雑な折り曲げ工程を経ることなく構成されている。
格子構造体内に屈曲した空気通路が形成されているので、塗装ブース排気は屈曲した空気通路を通過する。この結果、塗装ブース排気と横板、縦板との衝突回数が増加し、塗料ミスト捕集効率が向上する。
【０００６】
本発明の好ましい態様においては、第１横板と第２横板との間隔が、横板集合体の一方の端面から他方の端面に向けて減少している。
横板集合体の前記一方の端面から他方の端面へ向けて塗装ブースの排気が流れるように塗料ミスト捕集装置を配設すると、横板集合体と縦板集合体とで形成される屈曲した空気通路の上流部で多量の塗料ミストが捕集され、下流へ行くに従って捕集されるミストの量は減少する。捕集された塗料ミストは隣接する第１横板と第２横板との間の空間に溜まるので、第１横板と第２横板との間隔は、横板集合体の一方の端面から他方の端面に向けて減少させるのが合理的である。
本発明の好ましい態様においては、箱体内に且つ横板集合体の他方の端面に隣接してフィルターが配設されている。
格子構造体に加えてフィルターを配設することにより、塗料ミスト捕集効率が向上する。
本発明の好ましい態様においては、縦板集合体は横板の細長開口の一方の端部側から横板集合体に差し込まれる第１部分と、横板の細長開口の他方の端部側から横板集合体に差し込まれる第２部分とで構成されている。
縦板集合体を、横板の細長開口の一方の端部側から横板集合体に差し込まれる第１部分と、横板の細長開口の他方の端部側から横板集合体に差し込まれる第２部分とに分けることにより、差し込む際の摺動抵抗が減少し、格子構造体の組み付け作業が容易になる。
本発明の好ましい態様においては、横板集合体と縦板集合体とが協働して形成する格子構造体は、折り畳み可能である。
縦板集合体が横板集合体に差し込まれた格子構造体は、接着等の固着部がないので、容易に折り畳むことができ、また折り畳んだ状態から立体構造に容易に復元できる。折り畳むことにより、塗料ミスト捕集装置の搬送が容易になる。
本発明の好ましい態様においては、第１横板と第２横板と縦板と箱体とは板紙で形成されている。
ボール紙、厚紙、ダンボール紙等の板紙で構成した塗料ミスト捕集装置は軽いので搬送が容易であり、また使用後の処理が容易である。
【図面の簡単な説明】
【０００７】
【図１】本発明の実施例に係る塗装ミスト除去装置の外観斜視図である。（ａ）は格子構造体を示し、（ｂ）は箱体を示す。
【図２】本発明の実施例に係る塗装ミスト除去装置が備える第１横板の正面図である。
【図３】本発明の実施例に係る塗装ミスト除去装置が備える第２横板の正面図である。
【図４】本発明の実施例に係る塗装ミスト除去装置が備える横板集合体の正面図である。
【図５】本発明の実施例に係る塗装ミスト除去装置が備える縦板の第１部分と２部分の正面図である。
【図６】第１部分と２部分とで形成された縦板の正面図である。
【図７】屈曲した排気通路を示す本発明の実施例に係る塗装ミスト除去装置の部分平断面図である。
【図８】折り畳む過程を示す、格子構造体の上面図である。（ａ）は折り畳み過程の初期状態を示し、（ｂ）は折り畳み過程の終期状態を示す。
【図９】横板集合体に隣接して配設する板状のフィルターの外観斜視図である。
【発明を実施するための形態】
【０００８】
図１に示すように、本発明の実施例に係る乾式の塗料ミスト捕集装置１は、３枚の第１横板２ａと、３枚の第２横板２ｂと、１０枚の縦板３とで構成された格子構造体４と、対向する側面に開口５ａ、５ｂが形成された箱体５とを備えている。格子構造体４が箱体５に収納されて塗料ミスト捕集装置１が形成される。
図２に示すように、第１横板２ａは、互いに所定間隔を隔てて並行に延在する５つの細長開口２ａ１と、細長開口２ａ１を間に挟んで細長開口２ａ１の長手方向一端側の周縁と長手方向他端側の周縁とから細長開口２ａ１の長手方向延在長の途中まで延びる複数のスリット２ａ２とが形成された、ボール紙、厚紙、ダンボール紙等の矩形板紙で形成されている。
図３に示すように、第２横板２ｂは、互いに所定間隔を隔てて並行に延在する４つの細長開口２ｂ１と、細長開口２ｂ１を間に挟んで細長開口２ｂ１の長手方向一端側の周縁と長手方向他端側の周縁とから細長開口２ｂ１の長手方向延在長の途中まで延びる複数のスリット２ｂ２とが形成された、ボール紙、厚紙、ダンボール紙等の矩形板紙で形成されている。
図１から分かるように、第１横板２ａと第２横板２ｂとが隙間を隔てて交互に配設されて横板集合体２’を形成している。図４に示すように、横板集合体２’内において、第２横板２ｂの隣接する細長開口２ｂ１の間の部位が第１横板２ａの細長開口２ａ１に対峙すると共に、第２横板２ｂの細長開口２ｂ１が第１横板２ａの隣接する細長開口２ａ１の間の部位に対峙している。開口２ａ１、２ｂ１を正面から見た時に、図４に示すように、スリット２ａ２とスリット２ｂ２とは重畳している。
【０００９】
図５に示すように、縦板３は、互いに所定間隔を隔てて並行に延在する５つの細長開口３ａ１と、細長開口３ａ１を間に挟んで細長開口３ａ１の長手方向一端側の周縁から細長開口３ａ１の長手方向延在長の途中まで延びる複数のスリット３ａ２とが形成された、ボール紙、厚紙、ダンボール紙等の矩形板紙で形成された第１部分３ａと、互いに所定間隔を隔てて並行に延在する５つの細長開口３ｂ１と、細長開口３ｂ１を間に挟んで細長開口３ｂ１の長手方向一端側の周縁から細長開口３ｂ１の長手方向延在長の途中まで延びる複数のスリット３ｂ２とが形成された、ボール紙、厚紙、ダンボール紙等の矩形板紙で形成された第２部分３ｂとで構成されている。第１部分３ａと第２部分３ｂとは対称形状に形成されている。図１、６に示すように、第１部分３ａと第２部分３ｂとが、前記一端側の周縁を互いに当接させて、縦板３を形成している。
図１から分かるように、１０枚の縦板３の第１部分３ａが隙間を隔てて配設されて第１縦板集合体３’を形成し、１０枚の縦板３の第２部分３ｂが隙間を隔てて配設されて第２縦板集合体３”を形成している。
【００１０】
図１に示すように、第１縦板集合体３’が自身のスリット３ａ２を横板集合体２’のスリット２ａ２、２ｂ２に整列させて、細長開口２ａ１、２ｂ１の長手方向一端側の周縁から横板集合体２’に差し込まれ、第２縦板集合体３”が自身のスリット３ｂ２を横板集合体２’のスリット２ａ２、２ｂ２に整列させて、細長開口２ａ１、２ｂ１の長手方向他端側の周縁から横板集合体２’に差し込まれており、横板集合体２’と第1縦板集合体３’と第２縦板集合体３”とが協働して、３枚の第１横板２ａと、３枚の第２横板２ｂと、１０枚の縦板３とで構成された格子構造体４を形成している。格子構造体４内に、横板集合体２’、第1縦板集合体３’、第２縦板集合体３”を構成する板紙間の隙間と開口２ａ１、２ｂ１、３ａ１、３ｂ１とによって屈曲した空気通路が形成されている。
前記格子構造体４が、ボール紙、厚紙、ダンボール紙等の板紙で形成された箱体５に収納されて塗料ミスト捕集装置１が構成されている。箱体５の互いに正対する側面に形成された開口５ａ、５ｂが、格子構造体４の細長開口２ａ１、２ｂ１に対峙している。
【００１１】
塗料ミスト捕集装置１の作動と作用効果とを説明する。
図示しない塗装ブースの排気が、一方の開口５ａを通って箱体５へ流入し、更に図１に白抜き矢印で示す排気流を形成して格子構造体４に流入し、図７に示すように、横板集合体２’、第1縦板集合体３’、第２縦板集合体３”を構成する板紙間の隙間と開口２ａ１、２ｂ１、３ａ１、３ｂ１とが形成する屈曲した空気通路を通過し、他方の開口５ｂを通って箱体５から流出する。前記屈曲した空気通路を通過する際に、横板２ａ、２ｂの開口２ａ１、２ｂ１に挟まれた部位や、縦板３ａ、３ｂの開口３ａ１、３ｂ１に挟まれた部位に塗装ブースの排気が衝突し、前記部位に塗料ミストが付着して、塗料ミストが捕集される。塗料ミストが除去された塗装ブースの排気が塗料ミスト捕集装置１から排出される。
塗料ミスト捕集装置１においては、開口２ａ１、２ｂ１とスリット２ａ２、２ｂ２とが形成された横板２ａ、２ｂに開口３ａ１、３ｂ１とスリット３ａ２、３ｂ２とが形成された縦板３ａ、３ｂを、互いのスリットを整列させて差し込むことにより、複雑な折り曲げ工程を経ることなく塗料ミスト捕集装置が構成されている。
塗装ブース排気が屈曲した空気通路を通過するので、塗装ブース排気と横板２ａ、２ｂ、縦板３ａ、３ｂとの衝突回数が増加し、塗料ミスト捕集効率が向上している。
開口２ａ１、２ｂ１、３ａ１、３ｂ１を細長開口としたので、小開口を整列して複数設ける場合に比べて横板２ａ、２ｂ、縦板３ａ、３ｂの構成が簡素化されると共に、空気抵抗が低減してミスト捕集効率が向上している。
【００１２】
図１に示すように、第１横板２ａと第２横板２ｂとの間隔は、横板集合体２’の一方の端面から他方の端面に向けて、より具体的には図１に白抜き矢印で示す塗装ブース排気の流れに関して上流側から下流側へ向けて、減少している。横板集合体２’の前記一方の端面から他方の端面へ向けて塗装ブースの排気が流れるように塗料ミスト捕集装置１を配設すると、横板集合体２’と第１縦板集合体３’と第２縦板集合体３”とで形成される屈曲した空気通路の上流部で多量の塗料ミストが捕集され、下流へ行くに従って捕集されるミストの量は減少する。捕集された塗料ミストは隣接する第１横板２ａと第２横板２ｂとの間の空間に溜まるので、第１横板２ａと第２横板２ｂとの間隔は、横板集合体２’の一方の端面から他方の端面に向けて減少させるのが合理的である。
１０枚の縦板３で形成される縦板集合体を、横板の細長開口２ａ１、２ｂ１の一方の端部側から横板集合体２’に差し込まれる第１部分３’と、横板の細長開口２ａ１、２ｂ１の他方の端部側から横板集合体２’に差し込まれる第２部分３”とに分けたので、差し込む際の摺動抵抗が減少し、格子構造４体の組み付け作業が容易になっている。
第１部分３’と第２部分３”とで構成される縦板集合体が横板集合体２’に差し込まれた格子構造体４は、接着等の固着部がないので、図８（a）、（b）に示すように、容易に折り畳むことができ、また折り畳んだ状態から立体構造に容易に復元できる。格子構造体４と箱体５とを折り畳むことにより、塗料ミスト捕集装置１の搬送が容易になる。
ボール紙、厚紙、ダンボール紙等の板紙で構成した塗料ミスト捕集装置１は軽いので搬送が容易であり、また使用後の処理が容易である。
図９に示すような、適当な板状のフィルター６を、箱体５内に且つ横板集合体２’の塗装ブース排気流に関して下流側端面を形成する横板２ｂに隣接して、配設しても良い。
格子構造体に加えてフィルター６を配設することにより、塗料ミスト捕集効率が向上する。
【産業上の利用可能性】
【００１３】
本発明は、乾式の塗料ミスト捕集装置に広く利用可能である。
【符号の説明】
【００１４】
１  塗料ミスト捕集装置
２ａ  第１横板
２ｂ  第２横板
２’横板集合体
３  縦板
３ａ  縦板の第１部分
３ｂ  縦板の第２部分
３’第１縦板集合体
３” 第２縦板集合体
４  格子構造体
５  箱体
５ａ、５ｂ  開口
６  フィルター
【要約】      （修正有）【課題】複雑な折り曲げ工程を経ることなく構成され、且つ捕集効率の高い、板部材で構成された乾式の塗料ミスト捕集装置の提供。【解決手段】複数の細長開口と細長開口を間に挟んで周縁から前記細長開口の長手方向延在長の途中まで延在する複数のスリットとが形成された、複数の第１横板２ａと複数の第２横板２ｂと複数の縦板３とを備え、第１横板２ａと第２横板２ｂとが隙間を隔てて交互に配設された横板集合体２’内において、第１横板２ａと第２横板２ｂが、各々隣接する細長開口の間の部位が第２横板２ｂと第１横板２ａの細長開口に対峙し、複数の縦板３が隙間を隔てて配設されて形成した縦板集合体が自身のスリットを横板集合体２’のスリットに整列させて横板集合体２’に差し込まれ、横板集合体２’と縦板集合体とが協働して形成された格子構造体４内に屈曲した空気通路が形成され、格子構造体４が箱体５に収納されている塗料ミスト捕集装置。【選択図】図１【図１】
0006723677.tif 000002
【図２】
0006723677.tif 000003
【図３】
0006723677.tif 000004
【図４】
0006723677.tif 000005
【図５】
0006723677.tif 000006
【図６】
0006723677.tif 000007
【図７】
0006723677.tif 000008
【図８】
0006723677.tif 000009
【図９】
0006723677.tif 000010